(57)【要約】【課題】  選局したチャネルにおいて放送が行われているか否かの判定を短時間に行い、テレビチャネルの選局に要する時間を短縮できる受信装置を提供すること。【解決手段】  第１のフィルタ回路１１により中間周波数信号ＩＦから５８．７５ＭＨｚの映像中間周波数信号成分を抽出し、第２のフィルタ回路１３により中間周波数信号ＩＦのセンタ信号の周波数成分を抽出する。そして、第１のフィルタ回路１１で抽出した映像中間周波数信号の周波数成分の電圧値を第１のレベル検波回路１２により取り出し、第２のフィルタ回路１３で抽出したセンタ信号の周波数成分の電圧値を第２のレベル検波回路１４により取り出し、これら各周波数成分の電圧値を比較部１５により比較し、そのレベル差が信号有無判定部１６において一定値以上であるか否かを判定し、前記レベル差が前記一定値以上であるとそのチャネルに放送波が存在し、放送が行われていると判定する。【選択図】図１
2007324951.tif 000002
【特許請求の範囲】
【請求項１】
局部発振信号により周波数変換された選局チャネルのテレビ放送波の中間周波数信号をもとに選局の判別を行う選局判別手段を備えたテレビ放送波の受信装置であって、
前記選局判別手段は、
前記中間周波数信号の帯域内における周波数成分を含む、前記選局の判別を行うための周波数成分を抽出する周波数成分抽出回路と、
前記周波数成分抽出回路により抽出した周波数成分のレベル値をもとに前記選局チャネルのテレビ放送波の有無を判定し、選局の判別を行う判定部と、
を備えたことを特徴とする受信装置。
【請求項２】
前記周波数成分抽出回路は、前記中間周波数信号の帯域内における第１の周波数成分を抽出する第１のフィルタ回路と、前記中間周波数信号の帯域内における第２の周波数成分を抽出する第２のフィルタ回路とを備え、
前記判定部は、前記第１のフィルタ回路により抽出された第１の周波数成分のレベル値を検出する第１のレベル検波回路と、前記第２のフィルタ回路により抽出された第２の周波数成分のレベル値を検出する第２のレベル検波回路と、前記第１のレベル検波回路により検出された第１の周波数成分のレベル値と前記第２のレベル検波回路により検出された第２の周波数成分のレベル値とを比較する比較部と、前記比較部による比較結果をもとに前記選局チャネルのテレビ放送波の有無を判定し、選局の判別を行う信号有無判定部とを備えていることを特徴とする請求項１記載の受信装置。
【請求項３】
前記第１のフィルタ回路が抽出する第１の周波数成分は、前記中間周波数信号の帯域内における映像中間周波数信号の周波数成分であり、前記第２のフィルタ回路が抽出する第２の周波数成分は、前記中間周波数信号の帯域中央の中間周波数センタ信号の周波数成分であることを特徴とする請求項２記載の受信装置。
【請求項４】
前記第１のフィルタ回路が抽出する第１の周波数成分は、前記中間周波数信号の帯域内における映像中間周波数信号の周波数成分であり、前記第２のフィルタ回路が抽出する第２の周波数成分は、前記中間周波数信号の帯域外の周波数成分であることを特徴とする請求項２記載の受信装置。
【請求項５】
前記周波数成分抽出回路は、前記中間周波数信号の帯域内における第１の周波数成分を抽出する第１のフィルタ回路を備え、前記判定部は、前記第１のフィルタ回路により抽出された第１の周波数成分のレベル値を検出する第１のレベル検波回路と、前記第１のレベル検波回路により検出された第１の周波数成分のレベル値と所定の固定値とを比較する比較部と、前記比較部による比較結果をもとに前記選局チャネルのテレビ放送波の有無を判定し、選局の判別を行う信号有無判定部とを備えていることを特徴とする請求項１記載の受信装置。
【請求項６】
前記第１のフィルタ回路が抽出する第１の周波数成分は、前記中間周波数信号の帯域内における映像中間周波数信号の周波数成分であることを特徴とする請求項５記載の受信装置。
【発明の詳細な説明】
【技術分野】
【０００１】
本発明は、例えば携帯電話などの移動体通信機器に搭載して好適な受信装置に関する。
【背景技術】
【０００２】
図５は、ＴＶチャネルの選局を行う従来の受信装置の構成を示すブロック図である。
この受信装置は、アンテナ入力部５１、高周波増幅回路５２、混合回路５３、局部発信回路５４、ＩＦ増幅回路５５、映像検波回路５６、映像処理回路５７、受像表示部５８、制御回路５９、メモリ回路６１および信号有無判別部６２を備えている。
【０００３】
アンテナ入力部５１は、ＴＶ放送波を受信し、ＴＶ放送波の高周波信号を検出する。
高周波増幅回路５２は、ＴＶ放送波の高周波信号を増幅し出力する回路である。
混合回路５３は、増幅されたＴＶ放送波の高周波信号と局部発振信号とをミキシング処理し、中間周波数信号を生成する回路である。
局部発信回路５４は、前記局部発振信号を生成し出力する回路である。
ＩＦ増幅回路５５は、前記映像中間周波信号を増幅する回路である。
映像検波回路５６は、前記増幅された映像中間周波信号からベースバンド信号を生成し出力する回路である。図６は、このベースバンド信号を示す波形図である。
映像処理回路５７は、前記ベースバンド信号から映像信号を抽出し、受像表示部５８で表示するための映像処理を行う回路である。
受像表示部５８は、ＬＣＤ方式、プラズマ方式などの映像を表示するディスプレイ装置である。
制御回路５９は、局部発振回路５４、メモリ回路などを含む各部を制御する回路である。
メモリ回路６１は、プリセット選局を行う際のプリセットデータを含む各種データを記憶する回路である。
信号有無判別部６２は、前記ベースバンド信号における水平同期信号を検出する回路である。
【０００４】
次に動作について説明する。
この受信装置では、テレビチャネルの選局において選局時のテレビチャネルの有無の判別を行なっている。このテレビチャネルの有無の判別は、アナログテレビジョンの場合、映像検波回路５６から出力されたベースバンド信号の水平同期信号の有無を信号有無判別部６２により判定することで行なっている。このとき水平同期信号ありと判定されると信号有無判別部６２からは水平同期信号確認信号が制御回路５９へ出力され、制御回路５９において選局完了と判定する。
【０００５】
このようなテレビチャネルの有無の判別を行うものとしては、ＩＦ増幅回路５５のＡＦＴ回路（自動周波数調整回路）のＡＦＴ信号を利用し、そのレベルからそのチャンネルが受信可能か否かを判定し、可能であればその受信可能チャネル番号をメモリに記憶し、ダウンチューニングを行うことでオートプリセットに要する時間を短縮するオートプリセット回路がある（特許文献１参照）。
【特許文献１】特開平６−３１４９５８号公報
【発明の開示】
【発明が解決しようとする課題】
【０００６】
したがって、従来の受信装置のテレビチャネルの選局、特に移動体機器に搭載されるテレビチャネルの受信装置における選局では、テレビチャネル選局の際のテレビチャネルの有無を判別するトリガが、例えばアナログテレビジョンの場合、映像検波回路５６から出力されるベースバンド信号の水平同期信号の有無の判定結果である場合が一般的である。
このベースバンド信号の水平同期信号の有無の判定には、ベースバンド信号から水平同期信号を検出するための処理回路、前記処理回路で検出した水平同期信号を確認するための処理回路など、各種処理回路を経由してベースバンド信号の水平同期信号の有無を判定し、テレビチャネルの有無を判別し選局を行う。この結果、特に視聴地域が頻繁に変化する移動体機器に搭載された受信装置ではテレビチャネルの選局を短時間に行う受信装置が求められている課題があった。
【０００７】
本発明は、このような事情に鑑みてなされたものであり、選局したチャネルにおいて放送が行われているか否かの判定を短時間に行い、テレビチャネルの選局に要する時間を短縮できる受信装置を提供することを目的とする。
【課題を解決するための手段】
【０００８】
上述の目的を達成するため、本発明にかかる受信装置は、局部発振信号により周波数変換された選局チャネルのテレビ放送波の中間周波数信号をもとに選局の判別を行う選局判別手段を備えたテレビ放送波の受信装置であって、前記選局判別手段は、前記中間周波数信号の帯域内における周波数成分を含む、前記選局の判別を行うための周波数成分を抽出する周波数成分抽出回路と、前記周波数成分抽出回路により抽出した周波数成分のレベル値をもとに前記選局チャネルのテレビ放送波の有無を判定し、選局の判別を行う判定部とを備えたことを特徴とする。
【発明の効果】
【０００９】
本発明によれば、選局したチャネルにおいて放送が行われているか否かの判定を瞬時に行うことが可能であり、テレビチャネルの選局に要する時間を短縮でき、テレビチャネルの選局を短時間で行うことのできる受信装置を提供できる効果がある。
【発明を実施するための最良の形態】
【００１０】
（第１の実施の形態）
次に、本発明の第１の実施の形態について図面を参照して説明する。
図１は、本発明の第１の実施の形態による受信装置の構成を示すブロック図である。
この受信装置は、アンテナ１、高周波増幅回路２、混合回路３、局部発振回路４、ＩＦ増幅回路５、映像検波回路６、映像処理回路７、受像表示部８、制御回路９、メモリ回路１０、第１のフィルタ回路（選局判別手段、周波数成分抽出回路）１１、第２のフィルタ回路（選局判別手段、周波数成分抽出回路）１３、第１のレベル検波回路（選局判別手段、判定部）１２、第２のレベル検波回路（選局判別手段、判定部）１４、比較部（選局判別手段、判定部）１５および信号有無判定部（選局判別手段、判定部）１６を備えている。
【００１１】
アンテナ入力部１は、ＴＶ放送波を受信し、ＴＶ放送波の高周波信号を検出する。
高周波増幅回路２は、ＴＶ放送波の高周波信号を増幅し出力する回路である。
混合回路３は、増幅されたＴＶ放送波の高周波信号と局部発振回路４から出力される局部発振信号とをミキシング処理し、図２に示す中間周波数信号ＩＦを生成する回路である。
図２は、日本におけるＮＴＳＣアナログテレビ放送における中間周波数信号ＩＦの周波数スペクトルである。中間周波数信号ＩＦにおける信号帯域は６ＭＨｚであり、映像中間周波数信号は５８．７５ＭＨｚ、音声中間周波数信号は５４．２５ＭＨｚである。
【００１２】
局部発信回路４は、前記局部発振信号を生成し出力する回路である。
ＩＦ増幅回路５は、前記中間周波信号ＩＦを増幅する回路である。
映像検波回路６は、前記増幅された中間周波信号から、図６に示すベースバンド信号を生成し出力する回路である。
映像処理回路７は、前記ベースバンド信号から映像信号を抽出し受像表示部８で表示するための映像処理を行う回路である。
受像表示部８は、ＬＣＤ方式、プラズマ方式などの映像を表示するディスプレイ装置である。
【００１３】
第１のフィルタ回路１１は所定の周波数成分を抽出する回路であり、ＮＴＳＣアナログテレビ放送に対応させる場合には、例えば５８．７５ＭＨｚの映像中間周波数信号成分を抽出するように特性を設定する。
第１のレベル検波回路１２は、抽出された５８．７５ＭＨｚの映像中間周波数信号を検波し、その映像中間周波数信号成分のレベルを電圧値として取り出す回路である。
第２のフィルタ回路１３は所定の周波数成分を抽出する回路であり、ＮＴＳＣアナログテレビ放送に対応させる場合には、例えば信号帯域６ＭＨｚの中間周波数信号ＩＦにおけるセンタ信号５７ＭＨｚの信号成分を抽出するように特性を設定する。
第２のレベル検波回路１４は、抽出されたセンタ信号５７ＭＨｚの信号を検波し、そのセンタ信号成分のレベルを電圧値として取り出す回路である。
比較部１５は、第１のレベル検波回路１２により取り出された映像中間周波数信号成分の電圧値と、第２のレベル検波回路１４により取り出されたセンタ信号成分の電圧値とを比較し、そのレベル差を比較結果として出力する回路である。
信号有無判定部１６は、比較部１５から出力された比較結果が一定値以上である場合に、そのチャネルに放送波が存在し、放送が行われていると判定するものである。なお、そのチャネルに放送波が存在せず、放送が行われていない場合には、中間周波数信号ＩＦはノイズ成分のみとなるため、比較部１５から出力される比較結果として出力されるレベル差は“０”である。図３は、放送が行われていない場合の中間周波数信号ＩＦの周波数帯域に表れるノイズ成分を示す波形図である。
【００１４】
制御回路９は、自動プリセット選局機能を有し、局部発振回路４、メモリ回路１０などを含む各部を制御する。また、信号有無判定部１６により放送が行われていると判定されたチャネル番号をメモリ回路１０へ記憶する。
メモリ回路１０は、信号有無判定部１６により放送が行われていると判定されたチャネル番号を含む各種データを記憶する回路である。
【００１５】
次に動作について説明する。
この受信装置では、選局するテレビチャネルにおいて放送が行われているか否かの判別を行なっている。
この選局するテレビチャネルにおける放送が行われているか否かの判別は、アナログテレビジョンの場合、混合回路３から出力された図２に示す中間周波数信号ＩＦから第１のフィルタ回路１１により５８．７５ＭＨｚの映像中間周波数信号成分を抽出する。また第２のフィルタ回路１３により中間周波数信号ＩＦにおけるセンタ信号５７ＭＨｚの信号成分を抽出する。
そして、第１のフィルタ回路１１で抽出した５８．７５ＭＨｚの映像中間周波数信号成分の電圧値を第１のレベル検波回路１２により取り出す。また、第２のフィルタ回路１３で抽出したセンタ信号５７ＭＨｚの信号成分の電圧値を第２のレベル検波回路１４により取り出す。
さらにこれら５８．７５ＭＨｚの映像中間周波数信号成分の電圧値とセンタ信号５７ＭＨｚの信号成分の電圧値とを比較部１５により比較し、そのレベル差が信号有無判定部１６において一定値以上であるか否かを判定する。
この結果、前記レベル差が前記一定値以上であるとそのチャネルに放送波が存在し、放送が行われていると判定する。
また、前記レベル差が前記一定値未満であればそのチャネルに放送波が存在せず、放送が行われていないと判定する。
なお、そのチャネルに放送波がないときには通常前記レベル差は“０”であることから、そのチャネルに放送波が存在するか否かを判定するための閾値は略“０”に近い値にすることが可能である。
【００１６】
信号有無判定部１６において選局するチャネルに放送波が存在し、放送が行われていると判定された場合には、制御回路９は選局されたチャネル番号を放送が行われているチャネルとしてメモリ回路１０に記憶する。
【００１７】
従来の受信装置では、図５に示すように映像検波回路５６から出力されたベースバンド信号の水平同期信号の有無を信号有無判定部６２で判定することで、選局するチャネルに放送波が存在し、放送が行われているか否かを判定していた。このような水平同期信号の有無を信号有無判定部６２で確実に判定するためには、通常、水平同期信号を抽出し、さらにその抽出した水平同期信号を確認するため水平同期信号に対する同期期間が必要であり、このような水平同期信号を抽出する期間や抽出した水平同期信号に対する同期期間は水平同期信号の有無を判定する際の冗長期間であり、テレビチャネルの選局を短時間に行うことができない要因の一つである。
これに対し、本実施の形態の受信装置では、混合回路３から出力された中間周波数信号ＩＦから５８．７５ＭＨｚの映像中間周波数信号成分と、センタ信号５７ＭＨｚの信号成分とを抽出し、それら各信号成分の電圧値のレベル差から選局するチャネルに放送波が存在し、放送が行われているか否かを判定するため、前記従来のような冗長期間は必要でなく、選局したチャネルにおいて放送が行われているか否かの判定を瞬時に行うことが可能であり、テレビチャネルの選局に要する時間を短縮でき、テレビチャネルの選局を短時間で行うことのできる受信装置を提供できる効果がある。
【００１８】
また、本実施の形態の受信装置では、混合回路３から出力された中間周波数信号ＩＦから選局するチャネルに放送波が存在し、放送が行われているか否かを判定する。これに対し従来の受信装置では、図５に示すように映像検波回路５６から出力されたベースバンド信号の水平同期信号をもとに判定を行なっている。
このように、選局するチャネルに放送波が存在し、放送が行われているか否かを判定するための本実施の形態で用いる中間周波数信号ＩＦは、従来の受信装置で用いるベースバンド信号よりも、アンテナ側により近い信号である。これは選局したチャネルに放送波が存在し、放送が行われているか否かを判定するのに要する時間の短縮に寄与することになる。したがって、テレビチャネルの選局に要する時間を短縮でき、テレビチャネルの選局を短時間で行うことのできる受信装置を提供できる効果がある。
【００１９】
また、各チャネルの選局時はもちろん、全てのチャネルの有無を確認する自動プリセット選局においては、テレビチャネルの選局に要する時間の短縮効果が顕著であり、特に受信地域が刻々と変化し、選局が頻繁に行われる携帯電話などの移動体機器に搭載される場合には、テレビチャネルの選局に要する時間を短縮でき、テレビチャネルの選局を短時間で行うことのできる受信装置は有効である。
【００２０】
（第２の実施の形態）
次に第２の実施の形態の受信装置について説明する。
第２の実施の形態の受信装置の構成としては図１のブロック図が適用される。
第２の実施の形態では、第２のフィルタ回路１３は中間周波数信号ＩＦの帯域外の例えば６１ＭＨｚの周波数成分を抽出し、第２のレベル検波回路１４は、前記抽出された６１ＭＨｚの周波数成分のレベルを電圧値として取り出す。
そして、比較部１５は、第１のレベル検波回路１２により取り出された５８．７５ＭＨｚの映像中間周波数信号成分の電圧値と、第２のレベル検波回路１４により取り出された６１ＭＨｚの周波数成分の電圧値とを比較し、そのレベル差を比較結果として出力する。
信号有無判定部１６は、比較部１５から出力された比較結果が一定値以上である場合に、そのチャネルに放送波が存在し、放送が行われていると判定する。また、前記レベル差が前記一定値未満であればそのチャネルに放送波が存在せず、放送が行われていないと判定する。
なお、第２の実施の形態においても、そのチャネルに放送波がないときには通常前記レベル差は“０”であることから、そのチャネルに放送波が存在するか否かを判定するための閾値は略“０”に近い値にすることが可能である。
【００２１】
第２の実施の形態の受信装置では、選局するチャネルに放送波が存在し、放送が行われている場合、第１のレベル検波回路１２により取り出された５８．７５ＭＨｚの映像中間周波数信号成分の電圧値はある値として第１のレベル検波回路１２により取り出される。
このとき、第２のレベル検波回路１４からは６１ＭＨｚの周波数成分の電圧値が取り出されるが、中間周波数信号ＩＦの帯域外であるためノイズ成分のみであり、その電圧値は“０”である。
比較部１５は、第１のレベル検波回路１２により取り出された５８．７５ＭＨｚの映像中間周波数信号成分の電圧値と、第２のレベル検波回路１４により取り出された６１ＭＨｚの周波数成分の電圧値とを比較し、そのレベル差を比較結果として出力する。信号有無判定部１６は、比較部１５から出力された比較結果が一定値以上である場合に、そのチャネルに放送波が存在し、放送が行われていると判定する。
【００２２】
以上のように第２の実施の形態においても、第１の実施の形態と同様の効果が得られ、テレビチャネルの選局に要する時間を短縮でき、テレビチャネルの選局を短時間で行うことのできる受信装置を提供できる効果がある。
【００２３】
（第３の実施の形態）
次に第３の実施の形態について説明する。
図４は、この第３の実施の形態の受信装置の構成を示すブロック図である。
図４において図１と同一または相当の部分については同一の符号を付し説明を省略する。
第３の実施の形態の受信装置では、比較部２５は、第１のレベル検波回路１２により取り出された５８．７５ＭＨｚの映像中間周波数信号成分の電圧値と、固定値である電圧値Ｖｒｅｆとを比較する。この電圧値Ｖｒｅｆは、例えば０Ｖに設定することができる。
第３の実施の形態の受信装置では、選局するチャネルに放送波が存在し、放送が行われている場合、第１のレベル検波回路１２により取り出された５８．７５ＭＨｚの映像中間周波数信号成分の電圧値はある値として第１のレベル検波回路１２により取り出される。
比較部２５は、第１のレベル検波回路１２により取り出された５８．７５ＭＨｚの映像中間周波数信号成分の電圧値と、固定値である電圧値Ｖｒｅｆとを比較し、そのレベル差を比較結果として出力する。信号有無判定部１６は、比較部２５から出力された比較結果が一定値以上である場合に、そのチャネルに放送波が存在し、放送が行われていると判定する。
なお、第３の実施の形態においても、そのチャネルに放送波がないときには通常前記レベル差は“０”である。
【００２４】
以上のように第３の実施の形態においても、第１の実施の形態と同様の効果が得られ、テレビチャネルの選局に要する時間を短縮でき、テレビチャネルの選局を短時間で行うことのできる受信装置を提供できる効果がある。
【００２５】
以上説明した各実施の形態は、日本国内向けのアナログＮＴＳＣ方式のテレビ受信装置を例に説明したが、ディジタルＩＳＤＢ−Ｔ方式、さらに海外のアナログのＰＡＬ方式やＳＥＣＡＭ方式など、選局方式としてダブルコンバージョン方式を採用したテレビ受信装置に適用しても同様な効果を奏するものである。
【図面の簡単な説明】
【００２６】
【図１】本発明の第１の実施の形態の受信装置の構成を示すブロック図である。
【図２】ＮＴＳＣアナログテレビ放送における中間周波数信号ＩＦの周波数スペクトルである。
【図３】放送が行われていない場合の中間周波数信号ＩＦの周波数帯域に表れるノイズ成分を示す波形図である。
【図４】本発明の第３の実施の形態の受信装置の構成を示すブロック図である。
【図５】従来の受信装置構成を示すブロック図である。
【図６】ベースバンド信号を示す波形図である。
【符号の説明】
【００２７】
１１……第１のフィルタ回路（選局判別手段、周波数成分抽出回路）、１３……第２のフィルタ回路（選局判別手段、周波数成分抽出回路）、１２……第１のレベル検波回路（選局判別手段、判定部）、１４……第２のレベル検波回路（選局判別手段、判定部）、１５……比較部（選局判別手段、判定部）、１６……信号有無判定部（選局判別手段、判定部）。
【図１】
2007324951.tif 000003
【図２】
2007324951.tif 000004
【図３】
2007324951.tif 000005
【図４】
2007324951.tif 000006
【図５】
2007324951.tif 000007
【図６】
2007324951.tif 000008